(57)【要約】【課題】帯部材と飾り部材を一箇所の結合部で結合した水引飾りにおいて、被装着物への飾り部材の取り付け姿勢を安定化することである。【解決手段】帯部材１と飾り部材２との一箇所の結合部の裏側に板状片５を重ねて結合し、この板状片５に設けた３つの孔５ｂのうちの２つの孔５ｂに帯部材１を通すことにより、帯部材１を板状片５の各孔５ｂに２箇所で支持して、帯部材１に対する飾り部材２の取り付け角度を固定し、被装着物への飾り部材２の取り付け姿勢を安定化できるようにした。【選択図】図２
2005256200.tif 000002
【特許請求の範囲】
【請求項１】
装飾用の飾り部材と装着用の帯部材とを一箇所の結合部で結合した水引飾りにおいて、前記結合部の裏側に板状片を重ねて結合し、この板状片に前記帯部材を通す少なくとも２つの孔を設けたことを特徴とする水引飾り。
【請求項２】
前記板状片の孔を３つ以上設け、このうちの３つの孔を３角形状に配置した請求項１に記載の水引飾り。
【請求項３】
前記板状片を矩形状で一つの角部にコーナカットを入れたものとした請求項１または２に記載の水引飾り。
【請求項４】
前記板状片の外周から前記各孔に連なる切込み線を入れた請求項１乃至３のいずれかに記載の水引飾り。
【発明の詳細な説明】
【技術分野】
【０００１】
本発明は、水引飾りに関するものである。
【背景技術】
【０００２】
祝儀袋や贈答品等の被装着物に装着される水引飾りには、装飾用の飾り部材と装着用の帯部材とを、針金等の結合部材を用いて一箇所の結合部で結合したものがある。帯部材に水引の替りにゴム紐等を用いたものもある。
【０００３】
前記飾り部材のデザインは多種多様であり、水引だけで形成されたものの他に、扇等の飾り物を付加したものもある。また、飾り部材は被装着物と同じ向きに立てた姿勢で取り付けられるものの他に、所定の角度だけ斜めに傾けた姿勢で取り付けられるものもある。
【発明の開示】
【発明が解決しようとする課題】
【０００４】
上述した帯部材と飾り部材を一箇所の結合部で結合した従来の水引飾りは、結合作業が簡単な利点があるが、帯部材に対する飾り部材の取り付け角度が一定しないので、帯部材で被装着物に装着されたときに、飾り部材の取り付け姿勢が不安定になる問題がある。
【０００５】
そこで、本発明の課題は、帯部材と飾り部材を一箇所の結合部で結合した水引飾りにおいて、被装着物への飾り部材の取り付け姿勢を安定化することである。
【課題を解決するための手段】
【０００６】
上記の課題を解決するために、本発明は、装飾用の飾り部材と装着用の帯部材とを一箇所の結合部で結合した水引飾りにおいて、前記結合部の裏側に板状片を重ねて結合し、この板状片に前記帯部材を通す少なくとも２つの孔を設けた構成を採用した。
【０００７】
すなわち、帯部材と飾り部材との一箇所の結合部の裏側に板状片を重ねて結合し、この板状片に帯部材を通す少なくとも２つの孔を設けることにより、帯部材を板状片の各孔に２箇所で支持して、帯部材に対する飾り部材の取り付け角度を固定し、被装着物への飾り部材の取り付け姿勢を安定化できるようにした。
【０００８】
前記板状片の孔を３つ以上設け、このうちの３つの孔を３角形状に配置することにより、３角形状に配置した３つの孔から２つの孔を選択して帯部材を通すようにし、被装着物への飾り部材の取り付け姿勢が異なる水引飾りに板状片を共用することができる。
【０００９】
前記板状片を矩形状で一つの角部にコーナカットを入れたものとすることにより、板状片の結合部への結合の向きを判別しやすくすることができる。
【００１０】
前記板状片の外周から前記各孔に連なる切込み線を入れることにより、帯部材を容易に各孔に通すことができる。
【発明の効果】
【００１１】
本発明の水引飾りは、帯部材と飾り部材との一箇所の結合部の裏側に板状片を重ねて結合し、この板状片に帯部材を通す少なくとも２つの孔を設けたので、帯部材を板状片の各孔に２箇所で支持して、帯部材に対する飾り部材の取り付け角度を固定し、被装着物への飾り部材の取り付け姿勢を安定化することができる。
【００１２】
前記板状片の孔を３つ以上設け、このうちの３つの孔を３角形状に配置することにより、３角形状に配置した３つの孔から２つの孔を選択して帯部材を通すようにし、被装着物への飾り部材の取り付け姿勢が異なる水引飾りに板状片を共用することができる。
【００１３】
前記板状片を矩形状で一つの角部にコーナカットを入れたものとすることにより、板状片の結合部への結合の向きを判別しやすくすることができる。
【００１４】
前記板状片の外周から前記各孔に連なる切込み線を入れることにより、帯部材を容易に各孔に通すことができる。
【発明を実施するための最良の形態】
【００１５】
以下、図面に基づき、本発明の実施形態を説明する。図１乃至図３は、第１の実施形態を示す。この水引飾りは、図１に示すように、祝儀袋Ａに装着されるものであり、帯部材１と飾り部材２がいずれも水引３で形成され、両者が針金４を用いて一箇所の結合部で結合されている。
【００１６】
前記結合部の裏側には、図２に示すように、針金４で矩形状の一つの角部にコーナカット５ａを入れた厚紙製の板状片５が重ねて結合され、この板状片５に設けられた３つの孔５ｂのうちの２つの孔５ｂに帯部材１が通されて、帯部材１がこれらの各孔５ｂに２箇所で支持され、帯部材１に対する飾り部材２の取り付け角度が直角に固定されている。したがって、図１に示したように、祝儀袋Ａに装着されたときの飾り部材２が、祝儀袋Ａと同じ向きに立った取り付け姿勢で安定に保持される。
【００１７】
前記板状片５の３つの孔５ｂは、図３に示すように、直角三角形状に配置され、各孔５ｂには外周に連なり、帯部材１を孔内に導く切込み線５ｃが入れられている。この実施形態では、図２に示したように、帯部材１が板状片５の辺と平行に配置された２つの孔５ｂに通されている。
【００１８】
図４および図５は、第２の実施形態を示す。この水引飾りは、図４に示すように、包装鏡餅Ｂに装着されるものであり、帯部材１がゴム紐で形成され、飾り部材２が水引３と鶴の飾り物６で形成されている。帯部材１と飾り部材２は、第１の実施形態のものと同様に、針金４を用いて一箇所の結合部で結合されている。
【００１９】
前記結合部の裏側には、図５に示すように、第１の実施形態と同じ板状片５が針金４で結合され、前記直角三角形状に配置された３つの孔５ｂのうちの、対角線上に配置された２つの孔５ｂに帯部材１が通されて２箇所で支持され、帯部材１に対する飾り部材２の取り付け角度が斜めに固定されている。したがって、図４に示したように、包装鏡餅Ｂに装着されたときの飾り部材２が、所定の角度で斜めに傾斜した取り付け姿勢で安定に保持される。
【００２０】
上述した各実施形態では、帯部材を孔に通す板状片を厚紙製とし、その形状を矩形状で一つの角部にコーナカットを入れたものとしたが、板状片の素材と形状は任意に選定することができる。板状片に設ける孔の数と配置も任意に設計することができる。
【００２１】
また、上述した各実施形態では、帯部材と飾り部材を結合する針金を用いて板状片を一緒に結合したが、板状片は別の結合部材を用いて結合してもよい。
【図面の簡単な説明】
【００２２】
【図１】祝儀袋に装着した第１の実施形態の水引飾りを示す正面図
【図２】図１の水引飾りの一部省略背面図
【図３】図２の板状片を示す平面図
【図４】包装鏡餅に装着した第２の実施形態の水引飾りを示す正面図
【図５】図４の水引飾りの一部省略背面図
【符号の説明】
【００２３】
１  帯部材
２  飾り部材
３  水引
４  針金
５  板状片
５ａ  コーナカット
５ｂ  孔
５ｃ  切込み線
６  飾り物
【図１】
2005256200.tif 000003
【図２】
2005256200.tif 000004
【図３】
2005256200.tif 000005
【図４】
2005256200.tif 000006
【図５】
2005256200.tif 000007